(57)【特許請求の範囲】
【請求項１】
タッチパネル機能を具備し、情報を表示する表示部と、
前記表示部が接触体の接触を検知している位置が第１の領域から第２の領域へ移動した場合、前記表示部が表示している、表示位置にて接触が検知されると所定の機能が起動するアイコンの表示位置を、前記移動の方向とは異なる方向の位置へ移動させる制御部とを有する表示装置。
【請求項２】
請求項１に記載の表示装置において、
前記制御部は、前記表示部が接触を検知している位置が、前記表示部上にあらかじめ設定された境界を跨いで移動した場合、前記表示部が表示しているアイコンの表示位置を、該移動後の接触の検知の位置に応じた位置へ移動させることを特徴とする表示装置。
【請求項３】
請求項１に記載の表示装置において、
前記制御部は、前記表示部が接触を検知している位置が、前記表示部上の所定の領域の中から外へ移動した場合、前記表示部が表示しているアイコンの表示位置を、該移動後の接触の検知の位置に応じた位置へ移動させることを特徴とする表示装置。
【請求項４】
請求項１に記載の表示装置において、
前記制御部は、前記表示部が接触を検知している位置が、前記表示部が表示しているアイコンの表示位置から所定の範囲の外から中へ移動した場合、該表示部が表示しているアイコンの表示位置を、該移動後の接触の検知の位置に応じた位置へ移動させることを特徴とする表示装置。
【請求項５】
タッチパネル機能を具備したディスプレイに情報を表示する表示方法であって、
前記ディスプレイが接触体の接触を検知する処理と、
前記接触を検知している接触体の動きを検出する処理と、
前記検出された動きが、第１の領域から第２の領域への移動である場合、前記ディスプレイが表示している、表示位置にて接触が検知されると所定の機能が起動するアイコンの表示位置を、前記移動の方向とは異なる方向の位置へ移動させる処理とを行う表示方法。
【請求項６】
タッチパネル機能を具備したディスプレイに情報を表示する装置に、
前記ディスプレイが接触体の接触を検知する手順と、
前記接触を検知している接触体の動きを検出する手順と、
前記検出された動きが、第１の領域から第２の領域への移動である場合、前記ディスプレイが表示している、表示位置にて接触が検知されると所定の機能が起動するアイコンの表示位置を、前記移動の方向とは異なる方向の位置へ移動させる手順とを実行させるためのプログラム。
【発明の詳細な説明】
【技術分野】
【０００１】
本発明は、情報を表示する表示装置、表示方法およびプログラムに関する。
【背景技術】
【０００２】
携帯電話機、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄａｔａ  Ａｓｓｉｓｔａｎｃｅ，Ｐｅｒｓｏｎａｌ  Ｄｉｇｉｔａｌ  Ａｓｓｉｓｔａｎｔｓ：個人向け携帯型情報通信機器）等の携帯端末装置（表示装置）の多くは、タッチパネル機能を具備しており、画面にタッチするだけという簡単な操作で便利な機能を起動し利用することができる。これにより、利用者にとっては、ボタンキーの操作よりも直感的操作が行えるようになっている。
【０００３】
また、タッチパネル上の指の移動方向を予測し、予測された移動方向に表示されている情報を大きく表示させる技術が考えられている（例えば、特許文献１参照。）。
【先行技術文献】
【特許文献】
【０００４】
【特許文献１】特開２００８−２１０９４号公報
【発明の概要】
【発明が解決しようとする課題】
【０００５】
しかしながら、上述した技術においては、指で触れるだけの簡単な操作であるがゆえに、利用者が意図しないアイコンに触れてしまう等の誤操作（誤入力）が生じてしまうおそれがある。
【０００６】
タッチパネルにおける一般的なスクロール操作においては、画面を指でなぞることによって画面スクロールを実現している。
【０００７】
画面下部にワンタッチで起動するメニュー（アイコン）が表示されている場合、縦スクロールを行うために指を上から下方向へ移動させると、誤ってアイコンに触れてしまう場合がある。その場合は、利用者が意図しない機能が起動してしまう。
【０００８】
また、他の方向のスクロールにおいても、利用者の指の移動方向にメニュー等のアイコンが配置されている場合、スクロール操作の延長で誤ってアイコンに触れてしまうおそれがある。この場合も、利用者が意図しない機能が起動してしまう。
【０００９】
上述したようなワンタッチメニューの誤操作防止方法として、アイコン上で接触していた指が離れたことを検知して操作確定とする方法（アイコンに触れ、操作に問題なければ離す、問題あればアイコンと違う領域まで指をずらしてから離すという方法で誤操作をキャンセルする方法）があるが、スクロール操作では指の移動距離が長いことや、何回も反復操作をすることで、勢い余って誤った操作をしてもキャンセル動作をする余裕はない。
【００１０】
本発明の目的は、上述した課題を解決する表示装置、表示方法およびプログラムを提供することである。
【課題を解決するための手段】
【００１１】
本発明の表示装置は、
タッチパネル機能を具備し、情報を表示する表示部と、
前記表示部が接触を検知している接触体の動きに応じて、前記表示部が表示しているアイコンの表示位置を、現在表示している位置とは異なる位置へ移動させる制御部とを有する。
【００１２】
また、本発明の表示方法は、
タッチパネル機能を具備したディスプレイに情報を表示する表示方法であって、
前記ディスプレイが接触体の接触を検知する処理と、
前記接触を検知している接触体の動きを検出する処理と、
前記検出された動きに応じて、前記ディスプレイが表示しているアイコンの表示位置を、現在表示している位置とは異なる位置へ移動させる処理とを行う。
【００１３】
また、本発明のプログラムは、
タッチパネル機能を具備したディスプレイに情報を表示する装置に実行させるためのプログラムであって、
前記ディスプレイが接触体の接触を検知する手順と、
前記接触を検知している接触体の動きを検出する手順と、
前記検出された動きに応じて、前記ディスプレイが表示しているアイコンの表示位置を、現在表示している位置とは異なる位置へ移動させる手順とを実行させる。
【発明の効果】
【００１４】
以上説明したように、本発明においては、タッチパネルに対する誤入力を防ぐことができる。
【図面の簡単な説明】
【００１５】
【図１】本発明の表示装置の実施の一形態を示す図である。
【図２】図１に示した表示装置における表示方法の第１の例を説明するためのフローチャートである。
【図３】指の移動方向にアイコンが表示されている場合の表示部の表示画面の一例を示す図である。
【図４】ステップＳ３の処理によって移動したアイコンを表示する表示部の表示画面の一例を示す図である。
【図５】指の移動方向にアイコンが表示されている場合の表示部の表示画面の他の例を示す図である。
【図６】ステップＳ３の処理によって移動したアイコンを表示する表示部の表示画面の他の例を示す図である。
【図７】図１に示した表示装置における表示方法の第２の例を説明するためのフローチャートである。
【図８】指が境界を跨いで移動したときの様子の一例を示す図である。
【図９】ステップＳ１３の処理によって移動したアイコンを表示する表示部の表示画面の一例を示す図である。
【図１０】再設定された境界の一例を示す図である。
【図１１】図１に示した表示装置における表示方法の第３の例を説明するためのフローチャートである。
【図１２】指の接触を検知した位置が領域内から領域外へ移動したときの様子の一例を示す図である。
【図１３】ステップＳ２４の処理によって移動したアイコンを表示する表示部の表示画面の一例を示す図である。
【図１４】図１に示した表示装置における表示方法の第４の例を説明するためのフローチャートである。
【図１５】指の接触を検知した位置が範囲外から範囲内へ移動したときの様子の一例を示す図である。
【図１６】ステップＳ３４の処理によって移動したアイコンを表示する表示部の表示画面の一例を示す図である。
【発明を実施するための形態】
【００１６】
以下に、本発明の実施の形態について図面を参照して説明する。
【００１７】
図１は、本発明の表示装置の実施の一形態を示す図である。
【００１８】
本形態における表示装置１００には図１に示すように、表示部１１０と、制御部１２０とが設けられている。なお、この表示装置１００は、携帯電話機、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄａｔａ  Ａｓｓｉｓｔａｎｃｅ，Ｐｅｒｓｏｎａｌ  Ｄｉｇｉｔａｌ  Ａｓｓｉｓｔａｎｔｓ：個人向け携帯型情報通信機器）等の携帯端末装置、ＰＣ（Ｐｅｒｓｏｎａｌ  Ｃｏｍｐｕｔｅｒ）やカーナビ等であってタッチパネル機能を有する装置である。
【００１９】
表示部１１０は、タッチパネル機能を具備し、情報を表示するディスプレイである。
【００２０】
制御部１２０は、表示部１１０が接触を検知している指等の接触体の動きを検出し、検出した動きに応じて、表示部１１０が表示しているアイコンの表示位置を、現在表示している位置とは異なる位置へ移動させる。このアイコンとは、所定の機能を起動させるために表示されているものであり、一般的に利用されているアイコンと同様、表示部１１０に表示される簡単な絵や図からなる小さなメニュー画像である。表示部１１０がアイコンへの接触を検知した場合、制御部１２０によって当該アイコンに応じた機能が起動する。
【００２１】
また、制御部１２０は、表示部１１０が接触を検知している接触体の動きの方向に応じて、表示部１１０が表示しているアイコンの表示位置を、その動きの方向とは異なる方向の位置へ移動させる。
【００２２】
以下に、図１に示した表示装置１００における表示方法について説明する。なお、以下の説明では、接触体が指である場合を例に挙げて説明する。
【００２３】
図２は、図１に示した表示装置１００における表示方法の第１の例を説明するためのフローチャートである。
【００２４】
まず、表示部１１０への指の接触が検知され、表示部１１０に表示されている表示画面をスクロールするために指で表示部１１０がなぞられたことが制御部１２０によって認識されると（ステップＳ１）、指の移動方向にアイコンが表示されているかどうかが制御部１２０によって判別される（ステップＳ２）。
【００２５】
図３は、指の移動方向にアイコンが表示されている場合の表示部１１０の表示画面の一例を示す図である。
【００２６】
図３に示すように、表示部１１０の下側にアイコン１３０−１〜１３０−３が表示されている状態で、表示部１１０の上側から下側へ指が移動した場合、指の移動方向にアイコン１３０−１〜１３０−３が表示されていると制御部１２０によって判別される。なお、図３に示した例では、アイコン１３０−１〜１３０−３の数が３つである場合を例に挙げて示しているが、２つ以下であっても良いし、４つ以上であっても良い（以下の説明において同じ）。
【００２７】
ここで、指の接触を検知している位置の特定は、一般的な方法を用いれば良く、例えば、表示部１１０上の座標情報に基づくものであっても良い（以下の説明において同じ）。
【００２８】
指の移動方向にアイコン１３０−１〜１３０−３が表示されていると制御部１２０によって判別された場合、そのアイコン１３０−１〜１３０−３が、制御部１２０によって指の移動方向とは異なる方向の位置に移動させられる（ステップＳ３）。
【００２９】
なお、スクロール中であるかどうかに関わらず、指の移動方向のみに基づいて、アイコンを移動させるものであっても良い。
【００３０】
図４は、ステップＳ３の処理によって移動したアイコン１３０−１〜１３０−３を表示する表示部１１０の表示画面の一例を示す図である。
【００３１】
図４に示すように、表示部１１０の下側に表示されていたアイコン１３０−１〜１３０−３が、指の移動方向とは異なる方向の位置である表示部１１０の左側へ移動する。なお、指の移動方向が表示部１１０の上側から下側への移動であるため、当該移動方向とは異なる方向の位置としては、表示部１１０の上側や右側であっても良い。
【００３２】
図５は、指の移動方向にアイコン１３０−１〜１３０−３が表示されている場合の表示部１１０の表示画面の他の例を示す図である。
【００３３】
図５に示すように、表示部１１０の右側にアイコン１３０−１〜１３０−３が表示されている状態で、表示部１１０の左側から右側へ指が移動した場合、指の移動方向にアイコン１３０−１〜１３０−３が表示されていると制御部１２０によって判別される。
【００３４】
図６は、ステップＳ３の処理によって移動したアイコン１３０−１〜１３０−３を表示する表示部１１０の表示画面の他の例を示す図である。
【００３５】
図６に示すように、表示部１１０の右側に表示されていたアイコン１３０−１〜１３０−３が、指の移動方向とは異なる方向の位置である表示部１１０の下側へ移動する。なお、指の移動方向が表示部１１０の左側から右側への移動であるため、当該移動方向とは異なる方向の位置としては、表示部１１０の上側や左側であっても良い。
【００３６】
また、制御部１２０は、表示部１１０が接触を検知している位置が、表示部１１０上にあらかじめ設定された境界を跨いで移動した場合、表示部１１０が表示しているアイコンの表示位置を、移動後の接触の検知の位置に応じた位置へ移動させるものであっても良い。
【００３７】
図７は、図１に示した表示装置１００における表示方法の第２の例を説明するためのフローチャートである。
【００３８】
まず、表示部１１０への指の接触が検知され、表示部１１０に表示されている表示画面をスクロールするために指で表示部１１０がなぞられたことが制御部１２０によって認識されると（ステップＳ１１）、指の接触を検知した位置があらかじめ設定された境界を跨いで移動したかどうかが制御部１２０によって判別される（ステップＳ１２）。
【００３９】
図８は、指が境界を跨いで移動したときの様子の一例を示す図である。
【００４０】
図８に示すように、表示部１１０の下側にアイコン１３０−１〜１３０−３が表示されている状態で、表示部１１０の上側から下側へ、破線で示した境界１４０を跨いで指が移動した場合、指の接触を検知した位置が境界１４０を跨いで移動したと制御部１２０によって判別される。なお、図８には、境界１４０を破線で示したが、境界１４０は実際には表示部１１０に表示されなくても良く、その位置を制御部１２０が座標情報等を用いて認識していれば良い。
【００４１】
また、境界１４０の位置は、表示されているアイコン１３０−１〜１３０−３までの距離、指の移動速度と、操作を受けて判断し、アイコン１３０−１〜１３０−３を移動させるのに必要な処理時間とを加味して、ある程度のマージンを持って設定される。つまり、この境界１４０を跨いだ移動があった場合、指がアイコン１３０−１〜１３０−３へ近づく操作が行われていると判別できる位置である。
【００４２】
指の接触を検知した位置が境界１４０を跨いで移動したと制御部１２０によって判別された場合、表示されているアイコン１３０−１〜１３０−３が、制御部１２０によって、移動後の接触の検知の位置に応じた位置に移動させられる（ステップＳ１３）。
【００４３】
図９は、ステップＳ１３の処理によって移動したアイコン１３０−１〜１３０−３を表示する表示部１１０の表示画面の一例を示す図である。
【００４４】
図９に示すように、表示部１１０の右側から左側へ引かれた境界１４０よりも移動後の接触の検知の位置が下側である場合、表示部１１０の下側に表示されていたアイコン１３０−１〜１３０−３が表示部１１０の左側へ移動する。なお、移動後の接触の検知の位置が境界１４０よりも下側であるため、アイコン１３０−１〜１３０−３の移動する位置としては、表示部１１０の上側や右側であっても良い。また、境界１４０が、表示部１１０の上側から下側へ引かれたものであっても良い。
【００４５】
なお、ここで、表示部１１０の縦方向に引かれた境界１４０の位置が、表示部１１０の左側である場合、指の接触を検知した位置が表示部１１０の右側から左側へ境界１４０を跨いで移動した場合、上述した処理が行われる。また、表示部１１０の縦方向に引かれた境界１４０の位置が、表示部１１０の右側である場合、指の接触を検知した位置が表示部１１０の左側から右側へ境界１４０を跨いで移動した場合、上述した処理が行われる。また、表示部１１０の横方向に引かれた境界１４０の位置が、表示部１１０の上側である場合、指の接触を検知した位置が表示部１１０の下側から上側へ境界１４０を跨いで移動した場合、上述した処理が行われる。また、表示部１１０の横方向に引かれた境界１４０の位置が、表示部１１０の下側である場合、指の接触を検知した位置が表示部１１０の上側から下側へ境界１４０を跨いで移動した場合（図８および図９に示したもの）、上述した処理が行われる。
【００４６】
アイコン１３０−１〜１３０−３が移動すると、それに伴い、境界１４０が制御部１２０によって再設定される（ステップＳ１４）。
【００４７】
図１０は、再設定された境界１４０の一例を示す図である。
【００４８】
図１０に示すように、アイコン１３０−１〜１３０−３が図８に示した位置から図９に示した位置へ移動することにより、境界１４０が図８に示したアイコン１３０−１〜１３０−３の上側の位置から、図１０に示したアイコン１３０−１〜１３０−３の右側の位置へ再設定される。境界１４０が再設定される位置は、上述したものと同様に、指がアイコン１３０−１〜１３０−３に近づく操作が行われていると判別できる位置である。
【００４９】
また、制御部１２０は、表示部１１０が接触を検知している位置が、所定の領域の中から外へ移動した場合、表示部１１０が表示しているアイコンの表示位置を、移動後の接触の検知の位置に応じた位置へ移動させるものであっても良い。
【００５０】
図１１は、図１に示した表示装置１００における表示方法の第３の例を説明するためのフローチャートである。
【００５１】
まず、表示部１１０への指の接触が検知され、その検知の位置が、あらかじめ設定された領域内であるかどうかが制御部１２０によって判別される（ステップＳ２１）。この領域については、後述する。
【００５２】
接触を検知した位置が、所定の領域内であると制御部１２０によって判別された場合、表示部１１０に表示されている表示画面をスクロールするために指で表示部１１０がなぞられたことが制御部１２０によって認識されると（ステップＳ２２）、指の接触を検知した位置が領域外へ移動したかどうかが制御部１２０によって判別される（ステップＳ２３）。
【００５３】
図１２は、指の接触を検知した位置が領域内から領域外へ移動したときの様子の一例を示す図である。
【００５４】
図１２に示すように、表示部１１０の下側にアイコン１３０−１〜１３０−３が表示されている状態で、表示部１１０の上側から下側へ、破線で示した領域１５０の中から外へ指が移動した場合、指の接触を検知した位置が領域外へ移動したと制御部１２０によって判別される。なお、図１２には、領域１５０を破線で示したが、領域１５０は実際には表示部１１０に表示されなくても良く、その位置を制御部１２０が座標情報等を用いて認識していれば良い。
【００５５】
また、領域１５０の大きさや位置は、表示されているアイコン１３０−１〜１３０−３までの距離、指の移動速度と、操作を受けて判断し、アイコン１３０−１〜１３０−３を移動させるのに必要な処理時間とを加味して、ある程度のマージンを持って設定される。つまり、この領域１５０の中から領域１５０の外への移動があった場合、指がアイコン１３０−１〜１３０−３へ近づく操作が行われていると判別できるものである。また、領域１５０の形は、特に規定しない。
【００５６】
指の接触を検知した位置が領域１５０の外へ移動したと制御部１２０によって判別された場合、表示されているアイコン１３０−１〜１３０−３が、制御部１２０によって、移動後の接触の検知の位置に応じた位置に移動させられる（ステップＳ２４）。
【００５７】
図１３は、ステップＳ２４の処理によって移動したアイコン１３０−１〜１３０−３を表示する表示部１１０の表示画面の一例を示す図である。
【００５８】
図１３に示すように、移動後の接触の検知の位置が、領域１５０の外であり、下側である場合、表示部１１０の下側に表示されていたアイコン１３０−１〜１３０−３が表示部１１０の左側へ移動する。なお、移動後の接触の検知の位置が領域１５０よりも下側であるため、アイコンの移動する位置としては、表示部１１０の上側や右側であっても良い。
【００５９】
また、アイコン１３０−１〜１３０−３が表示部１１０の上側に表示された状態で、指の接触を検知した位置が領域１５０の上側の外へ移動した場合、上述した処理と同じ処理が行われる。また、アイコン１３０−１〜１３０−３が表示部１１０の右側に表示された状態で、指の接触を検知した位置が領域１５０の右側の外へ移動した場合、上述した処理と同じ処理が行われる。また、アイコン１３０−１〜１３０−３が表示部１１０の左側に表示された状態で、指の接触を検知した位置が領域１５０の左側の外へ移動した場合、上述した処理と同じ処理が行われる。
【００６０】
また、制御部１２０は、表示部１１０が接触を検知している位置が、表示部１１０が表示しているアイコンの表示位置から所定の範囲外から範囲内へ移動した場合、表示部１１０が表示しているアイコンの表示位置を、移動後の接触の検知の位置に応じた位置へ移動させるものであっても良い。
【００６１】
図１４は、図１に示した表示装置１００における表示方法の第４の例を説明するためのフローチャートである。
【００６２】
まず、表示部１１０への指の接触が検知され、その検知の位置が、あらかじめ設定された範囲外であるかどうかが制御部１２０によって判別される（ステップＳ３１）。この範囲については、後述する。
【００６３】
接触を検知した位置が、所定の範囲外であると制御部１２０によって判別された場合、表示部１１０に表示されている表示画面をスクロールするために指で表示部１１０がなぞられたことが制御部１２０によって認識されると（ステップＳ３２）、指の接触を検知した位置が範囲内へ移動したかどうかが制御部１２０によって判別される（ステップＳ３３）。
【００６４】
図１５は、指の接触を検知した位置が範囲外から範囲内へ移動したときの様子の一例を示す図である。
【００６５】
図１５に示すように、表示部１１０の下側にアイコン１３０−１が表示されている状態で、破線で示した範囲１６０の外から中へ指が移動した場合、指の接触を検知した位置が範囲内へ移動したと制御部１２０によって判別される。なお、図１５には、範囲１６０を破線で示したが、範囲１６０は実際には表示部１１０に表示されなくても良く、その位置を制御部１２０が座標情報等を用いて認識していれば良い。
【００６６】
また、範囲１６０は、アイコン１３０−１を囲むように設定され、その大きさや位置は、表示されているアイコン１３０−１の大きさ、指の移動速度と、操作を受けて判断し、アイコン１３０−１を移動させるのに必要な処理時間とを加味して、ある程度のマージンを持って設定される。つまり、この範囲１６０の外から範囲１６０の中への移動があった場合、指がアイコン１３０−１へ近づく操作が行われていると判別できるものである。言い換えれば、範囲１６０の内側は、表示されるアイコン１３０−１に近い位置であることが言える。また、範囲１６０の形は、アイコン１３０−１の形状に合わせる必要はなく、特に規定しない。例えば、アイコン１３０−１の中心部から所定の半径を持つ円形であっても良いし、アイコン１３０−１のある１つの基準座標（例えば、左上の角）から所定の距離の範囲のものであっても良い。さらに単純にＸＹ座標の絶対値が共に所定値以下であるような範囲のものであっても良い。
【００６７】
なお、図１５には、アイコン１３０−１が１つだけ表示されている場合を例に挙げて説明したが、図１２等に示したように３つであっても良いし、その数は規定しない。
【００６８】
指の接触を検知した位置が範囲１６０内へ移動したと制御部１２０によって判別された場合、表示されているアイコン１３０−１〜１３０−３が、制御部１２０によって、移動後の接触の検知の位置に応じた位置に移動させられる（ステップＳ３４）。このとき、範囲１６０もアイコン１３０−１〜１３０−３とともに移動する。
【００６９】
図１６は、ステップＳ３４の処理によって移動したアイコン１３０−１〜１３０−３を表示する表示部１１０の表示画面の一例を示す図である。
【００７０】
図１６に示すように、表示部１１０の下側にアイコン１３０−１が表示されている状態で、移動後の接触の検知の位置が、範囲１６０の内側である場合、表示部１１０の下側に表示されていたアイコン１３０−１および範囲１６０が表示部１１０の左側へ移動する。なお、アイコン１３０−１および範囲１６０の移動する位置としては、表示部１１０の上側や右側であっても良い。
【００７１】
また、アイコン１３０−１が表示部１１０の上側、または右側、または左側に表示された状態で、指の接触を検知した位置が範囲１６０の内側へ移動した場合、上述した処理と同じ処理が行われる。
【００７２】
また、上述した形態においては、境界１４０または領域１５０を超えて指で操作された場合や、範囲１６０の中へ指が入る（移動してくる）操作がされた場合に、指の移動方向と異なる表示部１１０の端へアイコンを移動させるものについて説明したが、表示部１１０の下側の端に配置されていないアイコンの場合は、指の移動方向と同じ方向へアイコンを移動させるものであっても良い。また、アイコンの移動については、表示部１１０の端まで移動させずに、所定の座標だけ移動させるものであっても良い。
【００７３】
以上説明したように本発明によれば、利用者が意図しないアイコンを誤って触れてしまうことを避けることができ、利用者の誤操作を防止するＵＩ（Ｕｓｅｒ  Ｉｎｔｅｒｆａｃｅ）を提供することができるという効果があり、より操作性の高い表示装置の提供が可能となる。
【００７４】
上述した表示装置１００に設けられた各構成要素が行う処理は、目的に応じてそれぞれ作製された論理回路で行うようにしても良い。また、処理内容を手順として記述したコンピュータプログラム（以下、プログラムと称する）を表示装置１００にて読取可能な記録媒体に記録し、この記録媒体に記録されたプログラムを表示装置１００に読み込ませ、実行するものであっても良い。表示装置１００にて読取可能な記録媒体とは、フロッピー（登録商標）ディスク、光磁気ディスク、ＤＶＤ、ＣＤなどの移設可能な記録媒体の他、表示装置１００に内蔵されたＲＯＭ、ＲＡＭ等のメモリやＨＤＤ等を指す。この記録媒体に記録されたプログラムは、表示装置１００に設けられた制御部１２０にて読み込まれ、制御部１２０の制御によって、上述したものと同様の処理が行われる。ここで、制御部１２０は、プログラムが記録された記録媒体から読み込まれたプログラムを実行するコンピュータとして動作するものである。
【符号の説明】
【００７５】
１００    表示装置
１１０    表示部
１２０    制御部
１３０−１〜１３０−３    アイコン
１４０    境界
１５０    領域
１６０    範囲
【図１】
0005769234.tif 000002
【図２】
0005769234.tif 000003
【図３】
0005769234.tif 000004
【図４】
0005769234.tif 000005
【図５】
0005769234.tif 000006
【図６】
0005769234.tif 000007
【図７】
0005769234.tif 000008
【図８】
0005769234.tif 000009
【図９】
0005769234.tif 000010
【図１０】
0005769234.tif 000011
【図１１】
0005769234.tif 000012
【図１２】
0005769234.tif 000013
【図１３】
0005769234.tif 000014
【図１４】
0005769234.tif 000015
【図１５】
0005769234.tif 000016
【図１６】
0005769234.tif 000017